(57)【要約】【課題】構造を簡単にして作業性も向上させ得る自動車用ライセンスガーニッシュ取付け構造を提供する。【解決手段】内周面にねじ溝が形成され、外周面に爪が形成された筒部１１の基端部に座部１２を有するクリップ１０を備える。ラッゲジドアの後面パネル１ｂに複数の取付け孔１９が形成され、ライセンスガーニッシュ２０のインサートボルト２３に、ねじ溝がインサートボルト２３のねじ山に係止されるように、クリップ１０がセットされる。ラッゲジドアの外側からクリップ１０を取付け孔１９に挿入して、座部１２が取付け孔１９の周辺部に前述の爪とで周辺部を挟持して着座させられ、後面パネル１ｂのカメラ装着用開口部４に、バックモニタカメラ２を後面パネル１ｂの内側から装着して、その両側２個の取付け孔２ｂにセットされた筒部１１から突出したボルト突出部分にナット２９をねじ込むことにより、ライセンスガーニッシュ２０及びカメラブラケットを締結する。【選択図】　　　　　図１
2004098816.tif 000002
【特許請求の範囲】
【請求項１】
ライセンスプレートの上方に位置するライセンスガーニッシュをバックモニタカメラと共にラッゲジドアに取付けるための自動車用ライセンスガーニッシュ取付け構造において、
内周面にねじ溝が形成され、また外周面に爪が形成された筒部の基端部に座部を有するクリップを備えると共に、ラッゲジドアの後面パネルに２個以上の取付け孔が形成され、
ライセンスガーニッシュの内面に突設された２個以上のボルトに、前記ねじ溝がそれぞれ前記ボルトのねじ山に係止されるように、前記クリップがセットされると共に、前記ラッゲジドアの外側から前記クリップをそれぞれ前記取付け孔に挿入することにより、前記座部が前記取付け孔の周辺部に前記爪とで前記周辺部を挟持した状態で着座させられ、
前記後面パネルに形成されたカメラ装着用開口部に、バックモニタカメラを前記後面パネルの内側から装着して、前記バックモニタカメラのカメラブラケットの両側２個の前記取付け孔にセットされた前記筒部から突出した前記ボルト突出部分にナットをねじ込むことにより、前記ライセンスガーニッシュ及び前記カメラブラケットを締結することことを特徴とする自動車用ライセンスガーニッシュ取付け構造。
【請求項２】
合成樹脂製の筒部に曲げ弾性を与えるように縦方向のスリットを形成して４分割すると共に、筒部の対向する２個の分割部分に、座部とで取付け孔の周辺部を挟持する爪が形成され、残り２個の分割部分の外周面に、カメラブラケットの取付け孔の内周に係合する凸状の係合部が形成されたことを特徴とする請求項１記載の自動車用ライセンスガーニッシュ取付け構造。
【発明の詳細な説明】
【０００１】
【発明の属する技術分野】
本発明は、ライセンスプレートの上方に位置するライセンスガーニッシュが、バックモニタカメラと共にラッゲジドアに取付けられるようになった自動車用ライセンスガーニッシュ取付け構造に関するものである。
【０００２】
【従来の技術】
図５は、ラッゲジドア１の後面に形成された凹部１ａに、車両後方をモニタするバックモニタカメラ２と共に、ライセンスプレートの上方位置に正面プレートの周囲に周辺プレートを備えたライセンスガーニッシュ３を取付けるためのガーニッシュ取付け構造を示す。即ち、凹部１ａ内の正面となる後面パネル１ｂに形成された開口部４に、バックモニタカメラ２をラッゲジドア１の外側から装着し、その両側の取付け孔６にグロメット５をセットし、バックモニタカメラ２の両側のカメラブラケット２ａのボルト挿通孔２ｂを通してねじ５ａでねじ止めする。次いで、ライセンスガーニッシュ３の内面に突設された複数個の筒部３ａの先端のインサートボルト７を、後面パネル１ｂの別形状のボルト挿通孔８に挿通して、バックモニタカメラ２を切欠部３ｂの内側で僅かに下向きに突出させた状態でラッゲジドア１の内側からナットでねじ止めして、ライセンスガーニッシュ３を取付けている。
【０００３】
【発明が解決しようとする課題】
したがって、ラッゲジドア側にバックモニタカメラ及びライセンスガーニッシュ用の２種類の孔の打ち分けが必要であり、また締め付け作業も別であり、さらに外側に取付けるライセンスガーニッシュを内側からねじ止めする際の仮置きも不可能であった。
【０００４】
本発明は、このような点に鑑みて、構造を簡単にして作業性も向上させ得る自動車用ライセンスガーニッシュ取付け構造を提供することを目的とする。
【０００５】
【課題を解決するための手段】
本発明は、この目的を達成するために、請求項１により、ライセンスプレートの上方に位置するライセンスガーニッシュをバックモニタカメラと共にラッゲジドアに取付けるための自動車用ライセンスガーニッシュ取付け構造において、内周面にねじ溝が形成され、また外周面に爪が形成された筒部の基端部に座部を有するクリップを備えると共に、ラッゲジドアの後面パネルに２個以上の取付け孔が形成され、ライセンスガーニッシュの内面に突設された２個以上のボルトに、ねじ溝がそれぞれボルトのねじ山に係止されるように、クリップがセットされると共に、ラッゲジドアの外側からクリップをそれぞれ取付け孔に挿入することにより、座部が取付け孔の周辺部に爪とで周辺部を挟持した状態で着座させられ、後面パネルに形成されたカメラ装着用開口部に、バックモニタカメラを後面パネルの内側から装着して、バックモニタカメラのカメラブラケットの両側２個の取付け孔にセットされた筒部から突出したボルト突出部分にナットをねじ込むことにより、ライセンスガーニッシュ及びカメラブラケットを締結することを特徴とする。
【０００６】
クリップが、そのねじ溝をボルトのねじ山に係止させてボルトにセットされ、また座部を取付け孔の周辺部に爪との挟持で着座させて取付け孔にセットされることにより、ライセンスガーニッシュはラッゲジドアに仮置き可能となる。クリップの筒部にはバックモニタカメラの取付け孔が挿入される。筒部からのボルトの突出部分にナットがねじ込まれる。
【０００７】
【発明の実施の形態】
図１乃至図４を基に本発明の実施の形態の一例による自動車用ライセンスガーニッシュ取付け構造を説明する。ラッゲジドア１の後面に形成された凹部１ａの後方を向いた後面パネル１ｂには、バックモニタカメラ２用の開口部４の両側及び横方向にずれた２個所の併せて４個所に、クリップ１０がセットされる取付け孔１９が１列に形成されている。
【０００８】
クリップ１０は、図２に示すように、内周面にねじ溝１１ａが形成された合成樹脂製の筒部１１と、その基端部において取付け孔１９の周辺部に外側から着座する座部１２とで形成されると共に、筒部１１は縦方向のスリットにより４分割されて曲げ弾性を呈する４個の分割部分１１ｂを形成している。そのうちの対向する２個の分割部分１１ｂの外周面には、座部１２とで取付け孔１９の周辺部を挟持する爪１３が突設されている。また、バックモニタカメラ２は、従来の構成によりカメラ本体から横方向の両側へ突設されたプレート状カメラブラケット２ａを備えて、取付け孔２ｂがそれぞれ形成されると共に、残り２個の分割部分１１ｂの外周面の先端部には、取付け孔２ｂの内周に係合する係合部１４が、円弧状に厚みを膨出させて形成されている。さらに、筒部１１の縦方向の長さは、取付け孔２ｂの周辺の厚みよりも僅かに短く設定されている。取付け孔２ｂの内周面には、爪１３を逃がすための凹部２ｃが環状に形成されている。
【０００９】
一方、ライセンスガーニッシュ２０には、バックモニタカメラ２用の切欠部３ｂが形成されると共に、ラッゲジドア１の取付け孔１９に対向する位置には４個の筒部２２が形成され、その先端部にインサートボルト２３が埋め込まれている。そのねじ山はねじ溝１１ａに係止される外径に設定されると共に、クリップ１０から突出する長さに設定されている。
【００１０】
このように構成された取付け構造の取付け方法は次の通りである。ライセンスガーニッシュ２０のインサートボルト２３に、予めクリップ１０を挿通させてセットする。次いで、ラッゲジドア１の外側から４個所の取付け孔１９（カメラブラケット２ａの２個のみ図示）にシール１８を介してクリップ１０を外側からセットして、その周辺部に爪１３で保持させることにより、ライセンスガーニッシュ２０を仮置きする。その際、インサートボルト２３より大きな外径の筒部２２の先端面２２ａが座部１２に当接し、インサートボルト２３のねじ山がねじ溝１１ａに係止され、また座部１２及び爪１３によるクリップ１０の保持で仮置きが確実に行われる。また、このようなクリップ１０の保持及びインサートボルト２３の係止は、分割された筒部１１の曲げ弾性で容易、かつ確実に行われる。
【００１１】
続いて、ラッゲージドア１の内側から開口部４にバックモニタカメラ２を挿通させると共に、カメラブラケット２ａの取付け孔２ｂにクリップ１０の筒部１１に挿入させ、係合部１４を係合させて位置決めする。この状態で、クリップ１０から１列４個所で突出しているインサートボルト２３にナット２９をねじ込む。その際、先端面２２ａが後面パネル１ｂ側に圧接してライセンスガーニッシュ２０が締結されると共に、ナット２９は取付け孔２ｂの周辺部に圧接してカメラブラケット２ａを後面パネル１ｂとで締結する。図３Ａはカメラブラケット２ａの取付け孔２ｂがクリップ１０の係合部１４に係合した状態を示し、図３Ｂはクリップ１０が爪１３で取付け孔１９に保持された状態を示す。バックモニタカメラ２が取付けられない残り２個の取付け孔１９のインサートボルト２３には、そのままナット２９をねじ込んでライセンスガーニッシュ２０のみを締結し、これにより、凹部１ａにライセンスプレート９の上方に位置してバックモニタカメラ２と共に取付けられる。
【００１２】
【発明の効果】
請求項１の発明によれば、ライセンスガーニッシュ及びバックモニタカメラの取付け孔を共通に形成でき、この取付け孔にセットされるクリップでライセンスガーニッシュが仮置きでき、したがって双方を取付けるのに必要な部品数が削減されると共に、ガーニッシュ及びカメラ双方の取付け作業が簡単になる。請求項２の発明によれば、クリップの筒部がたわみ易くなり、クリップの保持並びにライセンスガーニッシュ及びカメラの仮置き作用が確保され易くなる。
【図面の簡単な説明】
【図１】本発明の実施の形態による自動車用ライセンスガーニッシュ取付け構造の分解斜視図である。
【図２】同取付け構造のクリップの斜視図である。
【図３】同取付け構造の断面図を示すもので、同図Ａはクリップ部分が図２のＡ−Ａ線に沿った状態の断面図、同図Ｂはクリップ部分が図２のＢ−Ｂ線に沿った状態の省略断面図、同図Ｃはバックモニタカメラ部分の縮小断面図である。
【図４】同取付け構造により取付けられたライセンスガーニッシュ近辺の斜視図である。
【図５】従来の自動車用ライセンスガーニッシュ取付け構造を説明する分解斜視図である。
【符号の説明】
１　ラッゲジドア
１ｂ　後面パネル
２　バックモニタカメラ
２ｂ、１９　取付け孔
１０　クリップ
１１　クリップの筒部
１１ａ　筒部のねじ溝
１１ｂ　分割部分
１２　筒部の座部
１３　爪
２０　ライセンスガーニッシュ
２３　インサートボルト
【図１】
2004098816.tif 000003
【図２】
2004098816.tif 000004
【図３】
2004098816.tif 000005
【図４】
2004098816.tif 000006
【図５】
2004098816.tif 000007